(57)【要約】【課題】ハンドリングが容易な呼吸用気体供給装置を提供する。【解決手段】ボンベの元弁部位に直接固定して使用される気体供給装置であり、その筐体の底面が円弧状である呼吸用気体供給装置。【選択図】図２
2015123210.tif 000002
【特許請求の範囲】
【請求項１】
ボンベの元弁部位に取付けて使用される気体供給装置であり、その筐体の底面が円弧状の断面形状を有する部材である呼吸用気体供給装置。
【請求項２】
該底面の円弧状の湾曲高さが５ｍｍ〜１５ｍｍである、請求項１記載の呼吸用気体供給装置。
【請求項３】
連続流および呼吸同調流の切替え弁および所定流量で呼吸用気体を供給する流量設定器を備えた、請求項２記載の呼吸用気体供給装置。
【請求項４】
該筐体の側面部が弾性部材で被覆されている、請求項１記載の呼吸用気体供給装置。
【請求項５】
該弾性部材が熱可塑性エラストマー樹脂である、請求項４記載の呼吸用気体供給装置。
【請求項６】
持ち運び可能であり、筐体の底面の断面形状が円弧状である医療装置。
【請求項７】
ボンベの元弁部位に直接固定して使用される気体供給装置であり、その筐体の底面が、該装置を平面に置いた状態で、整地面と底面周囲部との隙間が５ｍｍ〜１５ｍｍとなる形状とした呼吸用気体供給装置。
【発明の詳細な説明】
【技術分野】
【０００１】
本発明は、呼吸用気体を使用者に供給する呼吸用気体供給装置に関する。
【背景技術】
【０００２】
肺気腫、慢性気管支炎等の呼吸器系疾患の患者が増える中、その治療法として最も効果的なものの１つに酸素吸入療法がある。この治療法のために使用する酸素供給源として、酸素濃縮装置、酸素ボンベ、あるいは液体酸素等が使用されている。使用時の便利さや保守管理の容易さから、在宅では酸素濃縮装置を使用し、病院への通院やショッピングのための外出、さらにはコンサートホールや映画館など静粛性が求められる場面での使用には、患者が持ち運びできる小型軽量の酸素ボンベが主流で用いられている。酸素ボンベには酸素切れに問題が有るので、小型軽量のポータブル酸素濃縮機も開発されているが、供給能力及び性能、価格面から普及には更なる技術革新を要する。
【０００３】
酸素ボンベを使用する場合、ボンベ元弁に接続した減圧弁により高圧酸素の圧力を例えば１．５ｋｇ／ｃｍ２に減圧したのち、流量設定器で０．５ＬＰＭ〜７ＬＰＭといった所定流量に整流して使用者に供給される。またボンベの節約を行うために呼吸同調器を併用し、使用者の呼吸を検知し、吸気時にのみ酸素を供給することにより、酸素使用量を連続供給する場合の３倍〜６倍に節約することができ、その分、外出使用時間を延長することが可能となっている。
【０００４】
呼吸同調器は、連続流および呼吸同調流での供給路の切替え、呼吸検出部および呼吸に同調して流路の開閉を行う自動開閉弁を備えた装置であり、酸素ボンベの減圧弁からカニューラ等で同調器に接続し、更に鼻カニューラ等で使用者に供給されるものの他、例えば特開平１０−５３３５号公報や特開平１０−８０４８８号公報に記載の様に、ボンベの肩部上部の元弁（ストップ弁）に直接接合させるタイプのものが知られている。
【０００５】
酸素ボンベは、酸素吸入療法を行っている呼吸器疾患患者が外出時に使用するため、長時間の使用と共に、小型、軽量であることが要求される。その為、酸素ガスの充てん量を上げる一方で、ボンベ材質を鉄からアルミニウム、ＧＦＲＰ、ＣＦＲＰなどの軽量材に変更したボンベが使用されている。また、酸素ボンベは携帯用のバックに入れて持ち運ぶほか、カートで運搬する方法がとられている。
【先行技術文献】
【特許文献】
【０００６】
【特許文献１】特開平１０−５３３５号公報
【特許文献２】特開平１０−８０４８８号公報
【発明の概要】
【発明が解決しようとする課題】
【０００７】
酸素ボンベは消耗品であるので、ボンベ交換が必須となり、その際に減圧弁や同調器などの取り外し、再取り付けが必要となる。酸素吸入療法を行う患者の殆どが高齢者であることから、ボンベ交換の容易性の確保が必須の命題となり、ボンベ交換時の機器の脱着、再装着の簡便性の確保、カニューラ折れによる酸素供給不良のリスクを回避する必要があり、特許文献２記載の様な減圧器や流量設定器、同調器を一体化した装置をボンベ元弁に直接装着する装置が開発され、使用されている。
【０００８】
本願発明の呼吸用気体供給装置のような医療機器を含め、殆どの機器の底面は平らになっている。これらの機器は、床或いは机上などの平面に設置されて使用されることから、設置安定性の面からも当然の帰結である。
一方、頻繁に着脱を行う機器は、機器を取り外した際に一旦、テーブルに置き、再度持ち上げる必要があり、ハンドリングを良くするためには、医療機器に把持部を設けるなどの対応が必要となる。しかし、把持部を別途設けると、筐体が大きくなり、加工性の低下、余分な部材の設置に伴うコスト高を招く。
【課題を解決するための手段】
【０００９】
上記課題を解決する手段として以下の装置を見出した。
（１）ボンベの元弁部位に取付けて使用される気体供給装置であり、その筐体の底面が円弧状の断面形状であることを特徴とする呼吸用気体供給装置。
（２）該底面の円弧状の湾曲高さが５ｍｍ〜１５ｍｍである、上記（１）記載の呼吸用気体供給装置。
（３）連続流および呼吸同調流の切替え弁および所定流量で流量設定器を備えた上記（２）記載の呼吸用気体供給装置。
（４）該筐体の側面部が、弾性部材で被覆されている上記（１）記載の呼吸用気体供給装置。
（５）該弾性部材が熱可塑性エラストマー樹脂である上記（４）記載の呼吸用気体供給装置。
（６）持ち運び可能であり、筐体の底面の断面形状が円弧状である医療装置。
（７）ボンベの元弁部位に直接固定して使用される気体供給装置であり、その筐体の底面が、該装置を平面に置いた状態で、整地面と底面周囲部との隙間が５ｍｍ〜１５ｍｍとなる形状とした呼吸用気体供給装置。
【発明の効果】
【００１０】
本発明の呼吸同調気体供給装置によると、円弧上に湾曲した底面を備えることで、装置下部に指が入り容易に入り、ハンドリングしやすくなる。底面形状が円弧状であるので平面上に設置した場合には、左右の揺らぎは有るものの、回転などは生じず、一時的保管の場合には非常に有効である。
また特別な把持部を設けていないので装置自体の全体形状、大きさには大きな変更はなく、更にボンベに接続固定した時のボンベ肩部のＲ形状と同調器底面の逆Ｒ形状の組み合わせにより、両者の空間が大きくなり、視覚的にも、よりコンパクトに見える効果を有している。
【図面の簡単な説明】
【００１１】
【図１】本発明の実施態様例である呼吸用気体供給装置の外観斜視図。
【図２】本発明の実施態様例である呼吸用気体供給装置の正面図。
【図３】本発明の実施態様例である呼吸用気体供給装置の酸素ボンベ装着図。
【発明を実施するための形態】
【００１２】
本発明の呼吸用気体供給装置の実施態様例を、図面を用いて説明する。
本発明の実施態様例の一つとして示す呼吸同調気体供給装置（呼吸同調器）は、呼吸用気体として酸素ボンベに高圧に充填された酸素ガスを一定の低圧力に圧力調整する調圧弁、調圧された気体を流量設定つまみによって患者所望の流量に整流する流量調整手段、患者の呼吸を検知する圧力センサ、圧力の検知結果に基づいて呼吸に同調して整流された気体を供給する自動開放弁（電磁弁）、緊急時には使用者の呼吸には同調せず連続して供給するための流路切換弁（手動弁）、カニューラなどの気体供給手段から構成されている。
【００１３】
図１に呼吸同調気体供給装置の斜め上からみた外観斜視図を示す。酸素ボンベの上部に設けられている元弁を該装置の元弁挿入孔に入れて、装置右側面に設けられたヨーク取付ネジにより、元弁と呼吸同調気体供給装置を接合する。該装置の筐体はボンベ上部に設置可能な箱型形状をしており、正面に流量設定つまみ、上面の前に連続同調切替レバーを、上面奥側に圧力計、酸素取り出し口であるカニューラ接続ノズルを設置することで操作性および視認性を向上させている。
【００１４】
本発明の呼吸用気体供給装置の筐体は、図２に示す正面図で明らかなように、底面が円弧状の断面形状である、いわゆる蒲鉾型の底面となっている。これにより平面上に装置を置いたとしても、正面から見て装置の左右の底部分に指が入り、持ち運びが容易となる。底面の円弧状の湾曲高さは、余りに大きすぎると安定性が悪くなるため、５ｍｍ〜１５ｍｍであることが好ましい。円弧のＲの大きさもＲ１５０〜Ｒ２５０が好ましい。
【００１５】
また平面上に置いた時の装置の把持し易さを実現するためには、底面の形状は完全な円弧状の形状に限らず、該装置を平面に置いた状態で、整地面と底面周囲部との隙間が５ｍｍ〜１５ｍｍとなる各種形状およびその組み合わせ形状をとることもできる。
【００１６】
左右の揺らぎを確保することで底に指が入るため、装置のノズルやレバー他の部材を持つことが無く、安全に持ち運ぶことが出来る。図３に示すように、の底面の円弧状のＲ形状は、ボンベに接続したときのボンベ肩部のＲ形状と相まってボンベと同調器の間の空間を演出し、コンパクトな印象を使用者に与えることが出来る。
【００１７】
筐体自体はＡＢＳ、ＰＣ、ＰＳなどの樹脂製材料で製造されるが、底面の円弧状形状による左右の揺らぎを確保し、持ち運びを容易にすると共にすべり防止、傷つき防止を図るために、オレフィン系やウレタン系の熱可塑性エラストマーなどの弾性部材で側面を被覆するのが好ましい。
【００１８】
本発明の円弧状の断面形状を有する底面を有する装置は、呼吸同調器のような酸素ボンベに着脱可能に使用される呼吸用気体装置のほか、装置の本体底から持ち運び可能な各種医療機器に適用可能である。
【産業上の利用可能性】
【００１９】
本願発明の呼吸同調気体供給装置は、喘息、肺気腫症、慢性気管支炎等の呼吸器系器官疾患に苦しむ患者に対する酸素吸入療法において使用される酸素ボンベの使用し得る時間を可能な限り延長するために患者の呼吸パターンに同調して供給する呼吸用気体供給装置（デマンドレギュレーター）として使用される。
【図１】
2015123210.tif 000003
【図２】
2015123210.tif 000004
【図３】
2015123210.tif 000005